(57)【要約】【課題】煩雑な調整を行うことなく、蓋体をゆっくり開くことができて操作性の良いコンパクト容器を提供する。【解決手段】本発明のコンパクト容器は、収納部を有する容器本体1と、この容器本体1に開閉可能に軸支される蓋体2とを備え、軸線O周りに変形及び復元の可能なパイプ部材4と、パイプ部材端部4aをその内側から保持する2つの大径部5aを有し当該大径部5aの間に小径の軸部5bが一体に掛け渡された支持軸5と、支持軸5の一方の大径部5aとの間でパイプ部材端部4aをその外側から保持する保持部6eを有して蓋体2に固定される蓋体側コネクタ6と、支持軸5の他方の大径部5aとの間でパイプ部材端部4aをその外側から保持する保持部7dを有して容器本体1に固定される容器側コネクタ7とを備える。【選択図】図３
2010233935.tif 000002
【特許請求の範囲】
【請求項１】
収納部を有する容器本体と、この容器本体に開閉可能に軸支される蓋体とを備えるコンパクト容器において、
軸線周りに変形及び復元の可能なパイプ部材と、このパイプ部材の端部をその内側から保持する２つの大径部を有し当該大径部の間に小径の軸部が一体に掛け渡された支持軸と、この支持軸の一方の大径部との間でパイプ部材の一方の端部をその外側から保持する保持部を有して容器本体に固定される容器側コネクタと、支持軸の他方の大径部との間でパイプ部材の他方の端部をその外側から保持する保持部を有して蓋体に固定される蓋体側コネクタとを備えることを特徴とするコンパクト容器。
【請求項２】
請求項１において、支持軸は、大径部との間に掛け渡された軸部に、軸線周りに周回する環状溝を備えることを特徴とするコンパクト容器。
【請求項３】
請求項１又は２において、コネクタはそれぞれ、容器本体又は蓋体の一方に形成した凹部と、容器本体又は蓋体の他方に形成した貫通孔に固定されるものであることを特徴とするコンパクト容器。
【請求項４】
請求項１乃至３のいずれか一項において、少なくとも一方のコネクタは、複数の保持部がそれぞれヒンジを介して軸線周りに放射状に配置された本体に回り止め用の凸部が形成された保持部本体と、保持部をそれぞれ折り曲げて支持軸の大径部との間でパイプ部材の端部をその外側から保持した状態で保持部本体を嵌合させる内部空間を有し回り止め用の凸部と嵌合する回り止め用の凹部が形成されたコネクタ本体とを備えることを特徴とするコンパクト容器。
【発明の詳細な説明】
【技術分野】
【０００１】
本発明は、収納部を有する容器本体と、この容器本体に開閉可能に軸支される蓋体とを備えるコンパクト容器の開閉動作に関するものである。
【背景技術】
【０００２】
従来のコンパクト容器には、蓋体及び容器本体を連結する軸として、剛性の高い軸部材に軸線方向に沿って溝を形成すると共に、その外周表面を軟質の合成樹脂からなる緩衝部材で被覆してなる蝶番軸を用いるものがある。こうした従来のコンパクト容器によれば、緩衝部材の摩擦抵抗によって蓋体を自由な角度に開くことができると共に、蓋体をゆっくり開けることができる。
【先行技術文献】
【特許文献】
【０００３】
【特許文献１】特開２００３−７０５３０号公報
【発明の概要】
【発明が解決しようとする課題】
【０００４】
しかしながら、こうした従来のコンパクト容器は、蓋体の開き具合を摩擦抵抗で調整しているため、蓋体の開き角度を如何にして維持するかよりも、蓋体を開くときの操作性が重視される場合には、調整が煩雑になる。このため、従来のコンパクト容器は、操作性を重視する場合、改善の余地がある。
【０００５】
本発明の目的とするところは、煩雑な調整を行うことなく、蓋体をゆっくり開くことができて操作性の良いコンパクト容器を提供することにある。
【課題を解決するための手段】
【０００６】
本発明は、収納部を有する容器本体と、この容器本体に開閉可能に軸支される蓋体とを備えるコンパクト容器において、
軸線周りに変形及び復元の可能なパイプ部材と、このパイプ部材の端部をその内側から保持する２つの大径部を有し当該大径部の間に小径の軸部が一体に掛け渡された支持軸と、この支持軸の一方の大径部との間でパイプ部材の一方の端部をその外側から保持する保持部を有して容器本体に固定される容器側コネクタと、支持軸の他方の大径部との間でパイプ部材の他方の端部をその外側から保持する保持部を有して蓋体に固定される蓋体側コネクタとを備えることを特徴とするものである。
【０００７】
パイプ部材としては、例えば、変形及び復元の可能な軟材質の合成樹脂からなるものが挙げられる。また、支持軸としては、剛性が高く変形し難い合成樹脂からなるものが挙げられる。また、支持軸としては、大径部との間に掛け渡された軸部に、軸線周りに周回する環状溝を設けたものも挙げられる。
【０００８】
コネクタはそれぞれ、容器本体又は蓋体の一方に形成した凹部と、容器本体又は蓋体の他方に形成した貫通孔に固定されるものとすることができる。
【０００９】
少なくとも一方のコネクタとしては、複数の保持部がそれぞれヒンジを介して軸線周りに放射状に配置された本体に回り止め用の凸部が形成された保持部本体と、保持部をそれぞれ折り曲げて支持軸の大径部と共にパイプ部材の端部をその外側から合せた状態で保持部本体を嵌合させる内部空間を有し回り止め用の凸部と嵌合する回り止め用の凹部が形成されたコネクタ本体とを備えるものが挙げられる。
【発明の効果】
【００１０】
本発明のコンパクト容器によれば、軸線周りに変形及び復元の可能なパイプ部材の両端をそれぞれ、コネクタを介して容器本体及び蓋体に固定したことで、蓋体は容器本体に対してパイプ部材を介して連結されることになる。これにより、使用者が蓋体を開けるときには、パイプ部材をその軸線周りにねじりながら開けることになるため、容器本体や蓋体との摩擦抵抗を利用することなく、蓋体をゆっくり開けることができる。
【００１１】
また、本発明に従えば、蓋体の開き具合は上述したとおり、摩擦抵抗ではなく、パイプ部材のねじれ特性に起因する。このため、本発明によれば、材質の異なるパイプ部材のうちから、好適な材質のパイプ部材を選択するだけで、蓋体の開き具合を調整することができる。
【００１２】
従って、本発明によれば、煩雑な調整を行うことなく、蓋体をゆっくり開くことができて操作性の良いコンパクト容器を提供することができる。また、支持軸の大径部間に掛け渡された軸部に環状溝を形成すれば、軸部がねじれ易くなるため、更に操作性が向上する。
【００１３】
また、コネクタをそれぞれ、容器本体又は蓋体の一方に形成した凹部と、容器本体又は蓋体の他方に形成した貫通孔に固定されるものとすれば、パイプ部材を備えた軸としてユニット化した状態で容器本体及び蓋体に組み付けることができる。これにより、従来と同様の組み付けを行うことができる。
【００１４】
また、本発明によれば、少なくとも一方のコネクタを、複数の保持部がそれぞれヒンジを介して軸線周りに放射状に配置された本体に回り止め用の凸部が形成された保持部本体と、保持部をそれぞれ折り曲げて支持軸の大径部と共にパイプ部材の端部をその外側から合せた状態で保持部本体を嵌合させる内部空間を有し回り止め用の凸部と嵌合する回り止め用の凹部が形成されたコネクタ本体とを備えるものとすれば、パイプ部材及び支持軸の保持力と、容器本体又は蓋体との固定とを別々に設定することで、適宜、調整することができる。
【図面の簡単な説明】
【００１５】
【図１】(a),(b)はそれぞれ、本発明の一形態である化粧用コンパクト容器が蓋体を閉じた状態を模式的に示す斜視図及び、その軸部分を模式的に示す拡大側面図である。
【図２】(a),(b)はそれぞれ、容器本体側を蓋体の一部と共に模式的に示す一部断面図である。
【図３】図２(a)の要部を模式的に示す拡大断面図である。
【図４】(a)〜(c)はそれぞれ、同形態に係る蓋体用コネクタを外側面から示す斜視図、同コネクタを内側面から示す斜視図及び、図３のＸ−Ｘ断面図である。
【図５】同形態に係る、容器用コネクタを示す分解斜視図である。
【図６】図３のＹ−Ｙ断面図及びＺ−Ｚ断面図である。
【図７】本発明の他の形態である化粧用コンパクト容器の要部を模式的に示す拡大断面図である。
【発明を実施するための形態】
【００１６】
以下、図面を参照して、本発明であるコンパクト容器を詳細に説明する。
【００１７】
１は、容器本体である。容器本体１は、蓋体２との合せ面に収納部を有し、化粧料が充填される化粧充填部Ｃ1と、化粧筆等を収納するための塗布具収納部Ｃ2とに区画されている。容器本体１には、図２(a)に示すように、２つの突出部１ａが幅方向に間隔を空けて一体に設けられている。
【００１８】
これに対し、蓋体２は、２つの突出部１ａの間に形成された凹部１ｂに配置される突出部２ａを有し、容器本体１に対して開閉可能に軸支されている。また、蓋体２は、容器本体１との合せ面に鏡Ｍが設けられている。
【００１９】
３は、容器本体１と蓋体２とを連結する軸（以下、「連結軸」）である。一方の連結軸３は、図２(a)に示すように、容器本体１の突出部１ａと、蓋体２の一方の突出部２ａと連結し、他方の連結軸３は、容器本体１の突出部１ａと、蓋体２の他方の突出部２ａと連結する。
【００２０】
４は、図３に示すように、軸線Ｏ周りに変形及び復元の可能な円筒形のパイプ部材である。パイプ部材４は、変形及び復元の可能な軟材質の合成樹脂からなる。
【００２１】
５は、パイプ部材４の内側に配置された支持軸である。支持軸５は、パイプ部材４の端部４ａをそれぞれ、当該端部４ａの内側から保持する２つの大径部５ａを有し、２つの大径部５ａの間には、大径部５ａよりも小径の軸部５ｂが一体に掛け渡されている。また、大径部５ａには、軸線Ｏ周りに環状溝５ｃが形成されている。
【００２２】
６は、突出部２ａに固定するための蓋体側コネクタである。蓋体側コネクタ６は、図４(a)に示すように、円錐台形をし、そのテーパをなした外周壁６ｆには、複数の縦リブ６ａが設けられている。また、蓋体側コネクタ６には、同図に示すように、その外周壁６ｆをタガ締めしたとき、外周壁６ｆが縮径する一方、大径のものを保持したときに拡径するように、切り欠き６ｃが形成されている。
【００２３】
また、蓋体側コネクタ６の内側には、図４(b)に示すように、パイプ部材４の一方の端部４ａと共に支持軸５の一方の大径部５を圧入嵌合させる嵌合凹部６ｄが形成されている。嵌合凹部６ｄには、大径部５ａに形成した環状溝５ｃと対向する位置に、大径部５ａとの間でパイプ部材４の端部４ａを、パイプ部材４の外側から保持する保持部としての環状リブ６ｅが形成されている。これにより、嵌合凹部６ｄに対して支持軸５の大径部５をパイプ部材４の端部４ａと共に圧入嵌合させると、パイプ部材４の端部４ａは、図３に示すように、環状溝５ｃと環状リブ６ｅとに固定保持される。
【００２４】
一方、突出部２ａには、蓋体側コネクタ６を固定する凹部２ｃが形成されている。凹部２ｃには、縦リブ６ａを軸線Ｏに沿って案内する案内溝１ｄが形成されている。これにより、蓋体側コネクタ６は突出部２ａに対して回転不能に固定される。なお、縦リブ６ａと案内溝２ｄとは、図４(c)に示すように、軸線Ｏ周りの僅かな回転を許容するように、軸線Ｏ周りに遊び（隙間）が設けられている。
【００２５】
７は、容器側コネクタである。容器側コネクタ７は、図５に示すように、保持部本体７１とコネクタ本体７２とからなる。保持部本体７１は、複数のアーム７ａがそれぞれヒンジ７ｂを介して軸線Ｏ周りに放射状に配置された本体７ｃを有する。アーム７ａの内側には、支持軸５の他方の大径部５ａとの間でパイプ部材４の他方の端部４ａを、パイプ部材４の外側から保持するリブ７ｄが一体に設けられている。リブ７ｄも、図３に示すように、ヒンジ７ｂを介してアーム７ａを折り曲げたとき、環状溝５ｃと対向する位置になるように設けられている。
【００２６】
また、コネクタ本体７２は、図３に示すように、保持部本体７１を保持して容器本体１に固定する。コネクタ本体７２は、同図に示すように、アーム７ａをそれぞれ折り曲げて大径部５ａとの間でパイプ部材４の端部４ａをその外側から保持した状態で保持部本体７ｃを嵌合させる内部空間７ｇを有する。これにより、内部空間７ｇに対して保持部本体７ｃを介して、支持軸５の大径部５をパイプ部材４の端部４ａと共に圧入嵌合させると、パイプ部材４の端部４ａは、図３に示すように、環状溝５ｃと環状リブ７ｄとに固定保持される。
【００２７】
加えて、保持部本体７１及びコネクタ本体７２にはそれぞれ、回り止め用の凸部７ｅと、この凸部７ｅと嵌合する回り止め用の凹部７ｈとが形成されている。回り止め用の凸部７ｅ及び凹部７ｈは、図６(b)に示すように、その断面形状を角形にすることにより、互いに空転することを防止する。
【００２８】
一方、突出部１ａには、蓋体側コネクタ６と共に容器側コネクタ７を貫通させる貫通孔１ｃが形成されている。貫通孔１ｃには、蓋体２側の案内溝２ｄと整列して縦リブ６ａを軸線Ｏに沿って案内する案内溝１ｄが形成されていると共に、蓋体側コネクタ７を固定する凹部１ｅが形成されている。
【００２９】
凹部１ｅは、図６(b)に示すように、容器側コネクタ７に設けたコネクタヘッド７ｉと共に、その断面形状を角形にすることにより、互いに空転することを防止する。これにより、コネクタヘッド７ｉを凹部１ｅに圧入嵌合などの方法で固定すれば、容器側コネクタ７は突出部１ａに対して回転不能に固定される。
【００３０】
即ち、連結軸３は、支持軸５を通したパイプ部材４の一方の端部４ａに、蓋体側コネクタ６を組み付ける一方、パイプ部材４の他方の端部４ａに、保持部本体７１を介してコネクタ本体７２を組み付けることで構成される。即ち、連結部３は、支持軸５を通したパイプ部材４の両端に蓋体側コネクタ６及び容器側コネクタ７を固定したユニット（アッシィ）としてなる。
【００３１】
そして、容器本体１と蓋体２との連結は、連結軸３の蓋体側コネクタ６を、容器本体１の突出部１ａに形成した凹部１ｅから挿し込んで、貫通孔１ｃを介して蓋体２の突出部２ａに通した後、この突出部２ａに形成した凹部２ｃに蓋体側コネクタ６を固定し、次いで、容器側コネクタ７を蓋体２の突出部２ａに形成した凹部１ｅに固定することで達成される。これにより、連結軸３の一端が蓋体２に固定されると共に、連結軸３の他端が容器本体１に固定されることで、容器本体１と蓋体２との間が連結軸３を介して連結される。
【００３２】
連結軸３は、蓋体２を閉じているとき、パイプ部材４がねじれた状態になるように組み付けられている。これにより、プッシュピース１０を押して容器本体１と蓋体２との係合を解除すると、パイプ部材４のねじれが解放されることに伴う復元力で、蓋体２が自動的にゆっくり開くことになる。なお、パイプ部材４のねじれは、蓋体２が完全に開いた後に解消されるように設定することも、蓋体２が完全に開いた後も残存するように設定することもできる。
【００３３】
上述のとおり、本形態によれば、軸線Ｏ周りに変形及び復元の可能なパイプ部材４の両端４ａをそれぞれ、蓋体側コネクタ６及び容器側コネクタ７を介して容器本体１及び蓋体２に固定したことで、蓋体２は容器本体１に対してパイプ部材４を介して連結されることになる。これにより、使用者が蓋体２を開けるときには、パイプ部材４をその軸線Ｏ周りにねじりながら開けることになる。このため、従来のように、容器本体１や蓋体２との摩擦抵抗を利用することなく、蓋体２をゆっくり開けることができる。
【００３４】
また、本形態に従えば、蓋体２の開き具合は上述したとおり、摩擦抵抗ではなく、パイプ部材４のねじれ特性に起因する。このため、本形態によれば、材質の異なるパイプ部材４のうちから、好適な材質のパイプ部材を選択するだけで、蓋体２の開き具合を調整することができる。
【００３５】
従って、本形態によれば、煩雑な調整を行うことなく、蓋体２をゆっくり開くことができて操作性の良いコンパクト容器を提供することができる。
【００３６】
また、本形態の如く、蓋体側コネクタ６及び容器側コネクタ７をそれぞれ、蓋体２に形成した凹部２ｃと、容器本体１に形成した貫通孔１ｃに固定されるものとすれば、パイプ部材４を備えた連結軸３としてユニット化した状態で容器本体１及び蓋体２に組み付けることができる。これにより、従来と同様の組み付けを行うことができる。
【００３７】
また、本形態の如く、蓋体側コネクタ６及び容器側コネクタ７の少なくとも一方を、複数の保持部７ｄがそれぞれヒンジ７ｂを介して軸線Ｏ周りに放射状に配置された本体７ｃに回り止め用の凸部７ｅが形成された保持部本体７１と、アーム部７ａをそれぞれ折り曲げて支持軸５の大径部５ａと共にパイプ部材４の端部４ａをその外側から合せた状態で保持部本体７１を嵌合させる内部空間７ｇを有し回り止め用の凸部７ｅと嵌合する回り止め用の凹部７ｈが形成されたコネクタ本体７１とを備えるものとすれば、パイプ部材４及び支持軸５の保持力と、容器本体１又は蓋体２との固定とを別々に設定することで、適宜、調整することができる。
【００３８】
なお、本形態では、容器本体１には、連結軸３と対向する位置に、外向きに付勢されたプッシュピース１０が設けられており、蓋体２を閉じたときに、合せ面に形成された爪部が引っ掛かることで、蓋体２の開放が防止される。
【００３９】
図７は、本発明の他の形態である化粧用コンパクト容器の要部を模式的に示す拡大断面図である。以下、先の形態と同一部分は同一符号をもって、その説明を省略する。
【００４０】
本形態に係る支持軸５では、大径部５ａの間に掛け渡された軸部５ｂに、軸線Ｏ周りに周回する環状溝５ｄが形成されている。環状溝５ｄを形成すれば、軸部５ｂがねじれ易くなるため、更に操作性が向上する。
【００４１】
また、本形態では、コネクタヘッド７ｉに、回り止め用の凹部７ｈを外界に開放することで、保持部本体７１の回り止め用の凸部７ｅを外界に露出させる開放部７ｊが形成されている。これにより、回り止め用の凹部７ｈは、実質的に貫通孔として構成される。
【００４２】
上述したところは、本発明の好適な形態をしたものであるが、特許請求の範囲において、種々の変更を加えることができる。例えば、容器側コネクタ７は、保持部本体７１とコネクタ７２とを一体に構成することも可能である。容器側コネクタ７の構成は、蓋体側コネクタとして採用することができる。また、コネクタ６，７はそれぞれ、容器本体１又は蓋体２の一方に形成した凹部と、容器本体１又は蓋体２の他方に形成した貫通孔に固定されるものであればよい。更に、各形態に採用された各構成はそれぞれ、互いに適宜組み合わせることができる。
【産業上の利用可能性】
【００４３】
本発明は、化粧用のコンパクト容器に限定されるものではなく、例えば、目元に塗布する軟膏等を内容物とする医薬品用のコンパクト容器等としても適用できる。
【符号の説明】
【００４４】
１    容器本体
１ｃ  貫通孔
２    蓋体
２ｃ  凹部
３    連結軸
４    パイプ部材
４ａ  パイプ部材端部
５    支持軸
５ａ  大径部
５ｂ  小径軸部
５ｄ  環状溝
６    蓋体側コネクタ
６ｅ  リブ（保持部）
７    容器側コネクタ
７ａ  アーム部
７ｂ  ヒンジ
７ｃ  本体
７ｄ  リブ（保持部）
７ｅ  回り止め用の凸部
７ｈ  回り止め用の凹部
７１  保持部本体
７２  コネクタ本体
【図１】
2010233935.tif 000003
【図２】
2010233935.tif 000004
【図３】
2010233935.tif 000005
【図４】
2010233935.tif 000006
【図５】
2010233935.tif 000007
【図６】
2010233935.tif 000008
【図７】
2010233935.tif 000009